(57)【要約】【課題】ロッドの重さを軽減することにより容易にパーマを実施することのできるパーマネント用ロッドの提供を図る。【解決手段】毛髪が巻かれる中空筒状のロッド本体１０と、上記ロッド本体１０の内部に挿入された加熱フィルム１２と、上記加熱フイルム１２へ電源を供給する電源接続部１４とを備える。上記の加熱フィルム１２は、Ｎｉ−Ｃｒ−Ａｌ系、Ｎｉ−Ｃｒ系、Ｎｉ−Ｃｒ−Ｆｅ系の合金等の電気抵抗となる抵抗材１８を備える。ロッド本体１０は、中空筒状部１０ａと、中空筒状部１０ａの両端を閉じた端部閉鎖部１０ｂ、１０ｃとを有することにより、内部が密閉された中空筒状体である。【選択図】          図２
2004290562.tif 000002
【特許請求の範囲】
【請求項１】
毛髪が巻かれるロッド本体と、
上記ロッド本体の内部に挿入された加熱フィルムと、
上記加熱フイルムへ電源を供給する電源接続部とを備え、
上記の加熱フィルムは、電気抵抗となる抵抗材を備えることにより、電源接続部からの電源が供給された時に熱を発生させるものであることを特徴とするパーマネント用加熱ロッド。
【請求項２】
上記加熱フイルムは、ポリアミド樹脂を含むものであることを特徴とする請求項１記載のパーマネント用加熱ロッド。
【請求項３】
上記抵抗材は、Ｎｉ−Ｃｒ−Ａｌ系、Ｎｉ−Ｃｒ系、Ｎｉ−Ｃｒ−Ｆｅ系の合金のうちの少なくとも１種であることを特徴とする請求項１又は２記載のパーマネント用加熱ロッド。
【請求項４】
上記ロッド本体は、中空筒状部と、中空筒状部の両端を閉じた端部閉鎖部とを有することにより、内部が密閉された中空筒状体であり、
上記電源接続部は、上記端部閉鎖部の内側に配位されると共に上記加熱フィルムの抵抗材に接続された基部と、この基部に接続されていると共に上記端部閉鎖部を貫通してロッド本体の外部に突出した先端部とを備え、この先端部に外部電源に対する接続用の端子が配位されたものであることを特徴とする請求項１又は２又は３記載のパーマネント用加熱ロッド。
【発明の詳細な説明】
【０００１】
【発明が属する技術分野】
本願発明は、毛髪に対して使用するパーマネント用加熱ロッドに関するものである。
【０００２】
【従来の技術】
一般的に、毛髪に理美容店でパーマを施す過程は、毛髪をシャンプーした後に、パーマ液を塗布してロッドを使用して毛髪を巻いた後、一定時間加熱し、その後にロッドを外すものである。
この時、ロッドに巻かれた毛髪を加熱してパーマ液の反応を促進し、必要に応じて乾燥を行う方法としては多様な方法が示されているが、大きくは、ドライヤーなどの加熱器により、温風をロッドへ巻かれた毛髪へ当てて乾燥させる方法と、ロッドの内部に加熱部材を配位しロッドを加熱させて乾燥させる方法と大別され得る。
【０００３】
後者の方法において、加熱部材として、電気で発熱するヒータを用いたものについては、特許文献１〜３に示されるものが知られているが、理美容室にあっては、ロッドに毛髪を巻いた後、各ロッドに電源を供給するコードを接続した後、パーマ液を塗布し、続いてヒータを発熱させ、パーマ液の反応終了後にコードを外してロッドを毛髪から外すタイプのものが一般に使用されている。このタイプのものとして現在最も広く使用されているものは、ロッドの内部に加熱部材が配位され、この加熱部材は、所定直径を有する円筒の外周面に電熱線が捲線され、この電熱線の外周面に銅箔が巻かれたものである。電熱線は電源ジャック６と接続され、電源ジャックを通じて供給された電気は電熱線へ供給され、熱を発生させ、発生された熱は銅箔を通してロッドの外周面に伝達されることにより、毛髪を乾燥させる。ところが、このような構造をもつロッドは、電熱線、銅箔、円筒等の部材によりその重量が大きくなってしまうことが避けられず、毛髪を巻回する作業が不便であったり、また、被施術者にとっても重いロッドを多く頭につけて所定時間待っておかなければならず、苦痛に感じる人もいるといった問題点が指摘されている。さらに、電熱線、銅箔、円筒などの部材が多く使われることにより、製造原価が上昇するといった課題がある。
【０００４】
【特許文献１】特開平４−１３２５０８号公報
【特許文献２】特開昭５８−１４１１０４号公報
【特許文献３】特開昭４５−２５１７９号公報
【０００５】
【発明が解決しようとする課題】
本願発明は、上記したような従来の問題点を解決せんとするもので、その目的は、ロッドの重さを軽減することにより容易にパーマを実施することのできるパーマネント用ロッドを提供することにある。
【０００６】
【課題を解決するための手段】
上記課題を解決するために、本願の請求項１に係る発明は、毛髪が巻かれるロッド本体１０と、上記ロッド本体１０の内部に挿入された加熱フィルム１２と、上記加熱フイルム１２へ電源を供給する電源接続部１４とを備え、上記の加熱フィルム１２は、電気抵抗となる抵抗材１８を備えることにより、電源接続部１４からの電源が供給された時に熱を発生させるものであることを特徴とするパーマネント用加熱ロッドを提供する。
請求項２に係る発明は、上記加熱フイルム１２が、ポリアミド樹脂を含むものであることを特徴とする請求項１記載のパーマネント用加熱ロッドを提供する。
請求項３に係る発明は、上記抵抗材１８が、Ｎｉ−Ｃｒ−Ａｌ系、Ｎｉ−Ｃｒ系、Ｎｉ−Ｃｒ−Ｆｅ系の合金のうちの少なくとも１種であることを特徴とする請求項１又は２記載のパーマネント用加熱ロッドを提供する。
請求項４に係る発明は、上記ロッド本体１０が、中空筒状部１０ａと、中空筒状部１０ａの両端を閉じた端部閉鎖部１０ｂ、１０ｃとを有することにより、内部が密閉された中空筒状体であり、上記電源接続部１４は、上記端部閉鎖部の内側に配位されると共に上記加熱フィルム１２の抵抗材１８に接続された基部２７と、この基部２７に接続されていると共に上記端部閉鎖部１０ｃを貫通してロッド本体１０の外部に突出した先端部２９とを備え、この先端部２９に外部電源に対する接続用の端子が配位されたものであることを特徴とする請求項１又は２又は３記載のパーマネント用加熱ロッドを提供する。
【０００７】
【発明の実施の形態】
以下、図面を参照しつつ、本願発明の実施の形態を説明するが、本願発明は、これに限定されたものではなく、特許請求の範囲に記載された発明の範囲内にて、種々変更して実施することが可能である。
図１は本願発明の実施の形態に係るパーマネント用ロッドの斜視図であり、図２は同断面図である。図３は同分解斜視図であり、図４は同パーマネント用ロッドの加熱フイルムの平面図である。
【０００８】
図１及び図２に図示されるように、本願発明に係るパーマネント用加熱ロッドは、毛髪Ｈが巻かれるロッド本体１０と、上記ロッド本体１０の内部に挿入され電源供給時、熱を発生させる加熱フイルム１２と、上記加熱フイルム１２に外部電源が供給されるようにする電源接続部としての電源ジャック１４を含む。
【０００９】
ロッド本体１０は、その内部に一定直径の空いた空間が形成される中空の円筒形状をなしている。より詳しくは、ロッド本体１０は、中空筒状部１０ａと、中空筒状部１０ａの両端を閉じた端部閉鎖部１０ｂ、１０ｃとを有することにより、内部が密閉された中空筒状体として実施されている。なお、一方の端部閉鎖部１０ｂは中空筒状部１０ａと一体に形成することができるが、他方の端部閉鎖部１０ｃは中空筒状部１０ａと別体に形成される。そして、後述の加熱フィルム１２等が配位された後、他方の端部閉鎖部１０ｃと中空筒状部１０ａとが熱融着や接着剤によって一体化され液密状態を保つものとして実施される。
【００１０】
このロッド本体１０の外周面には、必要に応じてロッドペーパーＰが巻回され（図２には図示せず）、その外周に毛髪Ｈが巻かれる。
また、上記ロッド本体１０は、ポリカーボネイト等の耐熱性で物理的強度が高い素材で形成されており、一定温度範囲内の熱にも持ちこたえる。よって、上記ロッド本体１０は、後述する加熱フイルム１２から発生する熱が伝達される場合に適切に加熱されることにより、巻かれた毛髪Ｈを加熱することができる。
【００１１】
このロッド本体１０の内部には、加熱フイルム１２が挿入されている。この加熱フイルム１２は、図３及び図４に図示されるように、その内部に抵抗材１８が配置された厚みの薄いフイルムにより構成されている。
この加熱フイルム１２は、合成樹脂、特に望ましくはポリアミド系の合成樹脂により形成される。このポリアミド系合成樹脂製の加熱フイルム１２は、フレキシブルであり、可撓性を有しており、曲げたり丸くまくことができる。よって、このような加熱フイルム１２を巻いてロッド本体１０の内部に挿入することができ、その弾性によってロッド本体１０の内周壁に沿うものである。
【００１２】
この加熱フイルム１２の内部には、熱を発生させるための電気抵抗となる抵抗材１８がジグザグ形式に配置されている。すなわち、上記抵抗材１８は、一定に形成された端部１９から始まり、他方端部２１まで多数箇所で折り返しながらフィルム全体に略均一に配位されている。このように、抵抗材１８をジグザグに形成して配置する理由は、一定面積の加熱フイルム１２内において、熱発生量を最大にし、且つ加熱フィルム１２内の全体で均一発熱させるためである。なお、この抵抗材１８は、必ずしもジグザグに形成されている必要はなく、任意の形状で配置することも勿論に可能である。さらに、抵抗材１８は細い線状として実施されているが、その幅をより細くするとか太くすることも可能である。
【００１３】
この抵抗材１８は、Ｎｉ−Ｃｒ−Ａｌ（ニッケル−クロム−アルミニウム）系合金を含む素材により構成される。このＮｉ−Ｃｒ−Ａｌ系合金は、通電時に発熱する物性を持つ。より詳しくは、Ｎｉ−Ｃｒ−Ａｌ系合金は、溶接点と塩化点が高く、内酸化性、電気抵抗性が大きいという特性を持つ。よって、このような素材で抵抗材１８を構成することにより、一定温度、例えば約２５０度程度の発熱が可能であり、一般的には約１２０度程度の温度でパーマ液の反応の促進作用が実現され得るものである。
抵抗材１８は、Ｎｉ−Ｃｒ−Ａｌ系合金の他、電気抵抗性をもつ物質、例えば、Ｎｉ−Ｃｒ（ニッケル−クロム）系、Ｎｉ−Ｃｒ−Ｆｅ（ニッケル−クロム−鉄）系等の素材等の他の発熱材料も使用することができる。ただし、これらの抵抗材１８としては、上記の加熱フィルム１２を筒状のロッド本体１０に丸めて挿入することができる程度の可撓性を備えたものであることがのぞましい。より望ましくは、抵抗材１８は、その弾性によって、加熱フィルム１２を筒状のロッド本体１０の内周壁に密着させるものであることが望ましい。
【００１４】
次ぎに、上記抵抗材１８の両端部１９、２１には、電源供給用の配線２３、２５が各々接続されており、この配線２３、２５は上記電源ジャック１４にそれぞれ連結される。
この電源ジャック１４は、ロッド本体１０の内部（より詳しくは中空筒状部１０ａと別体に形成された端部閉鎖部１０ｃの内側）に配位された基部２７と、上記ロッド本体１０の外部に突出した電気接続用の先端部２９とを備える。より詳しくは、先端部２９は、上記端部閉鎖部１０ｃを貫通してロッド本体１０の外部に突出したものであるが、両者２９、１０ｃ間には液密性が保たれている。この先端部２９自体は従来公知のジャックと同様であり、外周は絶縁材料で形成されると共に内部に接続端子を備える。詳しくは、電源供給用ピンプラグが挿入される孔（図示せず）が先端に開口しており、その孔には電気接続用の端子が複数配位され、これらの端子とピンプラグとが電気的に接続され得るものである。また、上記基部２７の端部および中間部には電極３１がそれぞれ連結されている。よって、上記先端部２９から供給される電源が上記電極３１を介して配線２３、２５へ供給されることによって、抵抗材１８が発熱する。
なお、この例では、電源接続部を電源ジャック１４として実施したが、プラグとして実施するなど、その形態は適宜変更し得る。
【００１５】
以上のような構造を有するパーマネント用ロッドの作動状態を図１乃至図４を参照して、より詳細に説明する。
図示されたように、加熱ロッド本体１０を利用してパーマネントをおこなう場合、まず、加熱ロッド本体１０の外周面にロッドペーパーＰを巻く。それから、その外周面に毛髪Ｈを巻き、固定する。次ぎにパーマ液を塗布した後、外部電源プラグ１３を上記電源ジャック１４の先端部２９へ挿入して接続し、電源を供給する。これにより、抵抗材１８に電圧が印加され、その電気抵抗によって一定の温度範囲内の熱が発生する。この時、発熱温度は、約２５０度程度まで可能であるが、実施に際しては、１２０度に維持される。発生した熱は、上記ロッド本体１０に伝達され、ロッド本体１０に巻かれた毛髪Ｈを加熱してパーマ液の反応を促進したり、乾燥させる等の作用を果たす。
【００１６】
ここで、上記のとおり、パーマ施術時には、パーマ用薬剤をロッドの上から塗布するのものであり、ロット両端が開放状態であれば薬液により加熱フィルムや内部の金属部がすぐに腐食してしまう。これに対して、本願発明に係るロッドは、内部に密閉空間を有し、この内部に加熱フィルムが配位されたものである。詳しくは、上記ロッド本体は、中空筒状部と、中空筒状部の両端を閉じた端部閉鎖部とを有することにより、内部が密閉された中空筒状体であり、その内部に加熱フィルムが密着している。そのため、ロッド本体内部に薬液が侵入することはなくロッドの寿命は飛躍的に延びる。しかも、ロッド本体の両端を閉塞して密閉状態とすることで内部ヒーターの絶縁処理を施す必要がなくなり、漏電のおそれを解消し得る。このように、この本願のロッドは、理美容室等で、業務用として頭髪にロッドを巻きつけた状態にて薬液を塗布し通電しながら加熱しパーマを施術する業務用ロッドに特に適するものを提供し得たものである。
【００１７】
【発明の効果】
以上説明したように、本願発明によるパーマネント用加熱ロッドは、加熱部材によって厚みの薄い加熱フイルムを適用させることにより、ロットの重さが軽くなり、操作が簡単であるという効果を発揮するものである。
また、加熱フイルムのみで熱を発生させることができるということによって、製造原価が軽減することができるという利点がある。
さらに、本願の請求項３に係る発明にあっては、薬液を塗布し通電しながら加熱しパーマを施術する業務用ロッドとして実施した場合にあっても、ロッド本体内部に薬液が侵入することはなくロッドの寿命を伸ばすことができ、さらに漏電のおそれを解消して安全性の高いパーマネント用ロッドを提供する事ができたものである。
【図面の簡単な説明】
【図１】本願発明の実施の形態に係るパーマネント用ロッドの斜視図である。
【図２】同断面図である。
【図３】同分解斜視図である。
【図４】同パーマネント用ロッドの加熱フイルムの平面図である。
【符号の説明】
１０    ロッド本体
１０ａ  中空筒状部
１０ｂ  端部閉鎖部
１０ｃ  端部閉鎖部
１２    加熱フイルム
１４    電源接続部
１８    抵抗材
２７    基部
２９    先端部
【図１】
2004290562.tif 000003
【図２】
2004290562.tif 000004
【図３】
2004290562.tif 000005
【図４】
2004290562.tif 000006